(57)【要約】【課題】多数のディスクを配置したカッタ軸をコンバインの脱穀排稈部に横方向に向けて設置する形態の排稈カッターでは、切断排稈の落下位置がコンバインの刈取跡地の排稈株元部側に偏倚して集中するため、穂先部側へ拡散するように、拡散ファンによって吹き飛ばして落下案内することが多い。このような形態では、ディスクの回転や掻出ファン等による起風力に抗して、拡散ファンによる送風力が対向されて、切断排稈の排出風方向が乱れて、的確で、安定した排稈の拡散排出を行わせ難く、構成が煩雑で、重量化となり易い。【解決手段】カッタ軸１方向に沿ってカッタディスク２を配置した排稈カッター３の切断部下方に、このカッタ軸１と平行状の拡散軸４に沿って掻出杆５を配置して回転する拡散ロータ６を設け、この拡散ロータ６によって放出される切断排稈を受けて拡散案内する拡散案内板７を設けたことを特徴とする排稈カッターの切断排出装置の構成とする。【選択図】図１
2008301730.tif 000002
【特許請求の範囲】
【請求項１】
カッタ軸（１）方向に沿ってカッタディスク（２）を配置した排稈カッター（３）の切断部下方に、このカッタ軸（１）と平行状の拡散軸（４）に沿って掻出杆（５）を配置して回転する拡散ロータ（６）を設け、この拡散ロータ（６）によって放出される切断排稈を受けて拡散案内する拡散案内板（７）を設けたことを特徴とする排稈カッターの切断排出装置。
【発明の詳細な説明】
【技術分野】
【０００１】
この発明は、コンバインの脱穀済排稈を切断排出する排稈カッターの切断排出装置に関する。
【背景技術】
【０００２】
排稈カッターの切断部下方に、スピンナを配置したり（例えば、特許文献１参照）、拡散ラセンロータを設ける（例えば、特許文献２参照）技術が知られている。
【特許文献１】特開平３−１９８７１５号公報（第２頁、図１）
【特許文献２】特開２００６−１０９７８８号公報（第３頁、図１）
【発明の開示】
【発明が解決しようとする課題】
【０００３】
多数のカッタディスクを配置したカッタ軸をコンバインの脱穀排稈部に横方向に向けて設置する形態の排稈カッターでは、切断排稈の落下位置がコンバインの刈取跡地の排稈株元部側に偏倚して集中するため、これを穂先部側へ拡散するように、拡散ファンの回転等によって吹き飛ばして落下案内することが多い。このような形態では、カッタ軸に配置のカッタディスクの回転や、掻出ファン等による起風力に抗して、拡散ファンによる送風力が対向されて、切断排稈の拡散排出部の排出風方向が乱れて、的確で、安定した排稈の拡散排出を行わせ難く、構成が煩雑で、重量化となり易い。
【課題を解決するための手段】
【０００４】
請求項１に記載の発明は、カッタ軸１方向に沿ってカッタディスク２を配置した排稈カッター３の切断部下方に、このカッタ軸１と平行状の拡散軸４に沿って掻出杆５を配置して回転する拡散ロータ６を設け、この拡散ロータ６によって放出される切断排稈を受けて拡散案内する拡散案内板７を設けたことを特徴とする排稈カッターの切断排出装置の構成とする。カッタ軸１、及びこのカッタディスク２の回転によって、この切断部に沿う姿勢に供給される脱穀済排稈が短く切断されて、下方へ落下される。この切断排稈は下方の拡散軸４周りに回転の掻出杆５の回転によって掻き落されて後側の拡散案内板７によって穂先側寄り方向へ案内されながら刈取跡地幅域に拡散排出される。このように切断排稈を掻き落す拡散ロータ６は、掻出杆５の掻出作用によって拡散案内板７の側へ掻出すものであるから、起風作用は殆んどなく、上方切断部側から落下される切断排稈をそのまま掻き落して穂先側寄り位置へ拡散排出することができる。
【発明の効果】
【０００５】
請求項１に記載の発明は、拡散ロータ６は拡散軸４周りに単に掻出杆５を配置する形態であるから、構成を簡素にして、回転抵抗を小さくし、切断部から落下される切断排稈の落下に風力抵抗等を与えないようにして、排稈の拡散排出を的確に、円滑に行わせることができる。
【発明を実施するための最良の形態】
【０００６】
図例に基づいて、コンバインは、クローラ８走行形態の車体９上に脱穀装置１０、運転席１１、エンジン１５、グレンタンク１２等を搭載し、この前側には６条刈等の多条刈形態の刈取装置１３を昇降可能に設け、後側の脱穀排稈を排送する排稈装置１４の後端に、この排稈を受けて短く切断する排稈カッター３を設けている。この排稈カッター３で切断された切断排稈を排出する拡散ロータ６が、この排稈切断部の下方に一体的に構成される。刈取装置１３の左右外側には分草杆１６が設けられる。脱穀装置１０の運転席１１側とは反対側には、前後方向に沿うフィードチェン１７を設け、この前端には刈取装置１３で刈取られる殻稈を搬送する搬送装置１８をのぞませる。このフィードチェン１７の後側に、脱穀済排稈を穂先側寄り後方へ搬送して排稈カッター３へ供給する排稈装置１４を構成する。これら排稈装置１４は、排稈の株元部をフィードチェン１７側に向け、穂先部をグレンタンク１２側に向けた、略横向きの姿勢にして後方へ搬送する。又、この排稈カッター３は、この排稈の稈身方向と平行状の一対のカッタ軸１を有し、これらカッタ軸１に沿って所定間隔に切断用のカッタディスク２や、掻込ロータ等を配置して、これらカッタ軸１間の切断部に沿って供給される排稈を短く切断して後側下方へ排出することができる。
【０００７】
前記排稈カッター３は、箱形のカッタフレーム２１の内部にカッタ軸１の両端部を軸装し、このカッタ軸１の株元側には伝動ベルト２２を掛けわたして、前記脱穀排稈装置１４の一部から伝動される。カッタフレーム２１の上側には、切替軸１９周りに開閉可能の切替板２０を設け、この切替板２０を上方へ開くことによって排稈装置１４で送出される排稈を下側のカッターの切断部へ案内して切断させることができる。又、この切替板２０を下側へ回動してカッタフレーム２１上を閉鎖することによって、排稈装置１４により搬送される排稈をカッタフレーム２１の後側（ドロッパー）へ送出して、切断しない状態で刈取跡地に排出することができる。
【０００８】
排稈カッター３の下部には、拡散室２３の後側に案内カバー２５が前後回動可能に軸支２６される。切断排稈を排出するときはこの案内カバー２５を後側へ開くことができる。又、前記拡散ロータ６は、該拡散室２３内に設けられて、前記カッタ軸１側からチェン２４を有して伝動で回転される。前記切断部で切断されて落下される切断排稈を受けて回転により後側の案内カバー２５側へ放出することができる。
【０００９】
ここにおいて、この発明に係る排稈カッターは、カッタ軸１方向に沿ってカッタディスク２を配置した排稈カッター３の切断部下方に、このカッタ軸１と平行状の拡散軸４に沿って掻出杆５を配置して回転する拡散ロータ６を設け、この拡散ロータ６によって放出される切断排稈を受けて拡散案内する拡散案内板７を設けたことを特徴とする排稈カッターの切断排出装置とする。
【００１０】
前記拡散ロータ６は、拡散室２３に左右方向にわたって軸装する拡散軸４の周りに、細く短い丸棒材からなる掻出杆５を植設固定し、各掻出杆５は位相をずらしながら螺旋状に配設してある。このような拡散ロータ６の下部には、掻出杆５の回転周部に沿って掻出案内板２９を上下角度調節可能に設けている。この掻出案内板２９上に切断部から落下される切断排稈を受けて、掻出杆５の回転によって後側の案内カバー２５側へ掻出案内する。
【００１１】
この拡散室２３の後側に設けられる案内カバー２５には、拡散案内板７を適宜間隔に配置し、各案内板７は、該掻出排稈を受けて穂先寄りへ案内しながら落下させるように傾斜させている。この拡散案内板７の中央部を支持軸３１で案内カバー２５に対して枢支し、この支持軸３１周りに回動させて、案内角度を調節する構成としている。これら拡散案内板７は、各別に角度調節して、株元部、穂先部等各部切断排稈毎に拡散案内角度を変えて設定できるように構成可能であるが、各拡散案内板７の角度調節を連動ロッド等で連動して行わせる形態とすることも可能である。
【００１２】
前記拡散室２３の株元側の室側壁２７の下部には、内側へ傾斜する株寄案内板３２を設けて、隣接の未刈稈条への切断排稈の降りかかりを阻止する。
カッタ軸１のカッタディスク２の回転によって切断部に沿って供給される排稈を短く切断して、下方の拡散室２３へ落下させる。この切断排稈は掻出案内板２９上面に受けられて、拡散ロータ６の回転によって掻出杆５に係合されて、この掻出案内板２９上面に案内させながら後側の案内カバー２５側へ掻出放出する。
【００１３】
このようにして拡散ロータ６で掻き出される切断排稈を案内カバー２５の拡散案内板７で穂先寄側へ案内させて刈取跡地幅域へ拡散排出させる。この拡散案内板７の傾斜角度緩傾斜にすると株元側の切断排稈の穂先側への偏移落下量、及び偏移距離を大きくして、拡散効果を高めることができる。
【図面の簡単な説明】
【００１４】
【図１】排稈カッター部の背面図。
【図２】その側面図。
【図３】コンバインの平面図。
【符号の説明】
【００１５】
１    カッタ軸
２    カッタディスク
３    排稈カッター
４    拡散軸
５    掻出杆
６    拡散ロータ
７    拡散案内板
【図１】
2008301730.tif 000003
【図２】
2008301730.tif 000004
【図３】
2008301730.tif 000005